(57)【要約】      （修正有）【課題】暴漢が暴れ動くことにより、自縛的に動きを封ずる機能を有する刺股とする。【解決手段】把持用直棒体１を半円状湾曲棒体２の中間点で固着し、半円状湾曲棒体２の両端には、互いに内側に円を描くよう相対させるＬ字状の可動湾曲状棒体９の回転軸３を設け、可動湾曲状棒体９の角状曲折部辺りから、半円状湾曲棒体２の回転軸３近傍に渡ってラチェット機構を配設し、両可動湾曲状棒体９の内側端部間を、両可動湾曲状棒体９の開口状態を保持するため中央部連結部材７で連結させ、使用時に中央部連結部材７が暴漢にて押圧されることで連結が外され、両半円状湾曲棒体２の両先端が近接交差し、暴漢を中にした包囲部分が形成されて、暴漢が激しく動き暴れることによりラチェット機構が働き、両可動湾曲状棒体９が内側方向に微動して暴漢を締め付け行くことを特徴とする自縛機能を有する刺股。【選択図】図３
2013134050.tif 000002
【特許請求の範囲】
【請求項１】
把持用直棒体（１）の一端を、半円状湾曲棒体（２）が形成する平面と同一平面上における該半円状湾曲棒体（２）の中間点にて、該半円状湾曲棒体（２）の開口部を先方として固着したものとし、かつ、該半円状湾曲棒体（２）の両端部には、湾曲したＬ字状で、その角状曲折部（４）か、その近傍に、回転軸（３）を設け、該回転軸（３）にて回動可能に連着する可動湾曲状棒体（９）２本が、互いに内側に円を描くよう相対配置させると共に、加えて、上記両角状曲折部（４）の近傍と、上記半円状湾曲棒体（２）の両先端近傍に渡ってラチェット機構を配設させると共に、上記両可動湾曲状棒体（９）の内側端部（６）間に渡って、該両可動湾曲状棒体（９）のキャップ（８）を有する両先端が、離反開口している状態を保持するための中央部連結部材（７）にて、上記両内側端部（６）間を連結させおき、使用時には、該中央部連結部材（７）が被捕獲対象により押圧されることによって、上記両内側端部（６）の連結が外されて、上記２本の半円状湾曲棒体（２）の両先端が近接し、更に進んで、交差することによって、被捕獲対象を中にした包囲部分（１８）が形成され、被捕獲対象が激しく動き暴れることにより、上記ラチェット機構が働き、上記両可動湾曲状棒体（９）が互いに内側方向に微動しつつ被捕獲対象を締め付け行くようになることを特徴とする自縛機能を有する刺股。
【請求項２】
ラチェット機構として、回転軸（３）自体を、ラチェット回転軸（１６）とし、該ラチェット回転軸（１６）を配設する可動湾曲状棒体（９）は、互いに可動湾曲状棒体（９）が内側方向に回転しても、外側方向へは回転しないよう該ラチェット回転軸（１６）を、互いに表裏関係にあるとして配置した請求項１記載の自縛機能を有する刺股。
【請求項３】
ラチェット機構として、両可動湾曲状棒体（９）の内側端部（６）と回転軸（３）との間、若しくは角状曲折部（４）辺りに、Ｌ字状として湾曲する方向とは順方向で、更にＬ字状の外側方向へと、ラチェットの歯板（５）を、その歯列を上記回転軸（３）に向け、かつ、該回転軸（３）を中心とした半円線を描く軌道上に歯列を有するものとして固着させ、かつ、上記ラチェットの歯板（５）に係接するラチェットの爪（１０）を、上記半円状湾曲棒体（２）の回転軸（３）から半径上において、ラチェットの歯板（５）に噛合う位置に設けた請求項１記載の自縛機能を有する刺股。
【請求項４】
ラチェットの歯板（５）の長さにおいて、該ラチェットの歯板（５）の一端はラチェットの爪（１０）に噛合う位置辺りまでとし、他端を該ラチェットの歯板（５）を固着させる可動湾曲状棒体（９）の角状曲折部（４）に止めて、両可動湾曲状棒体（９）が互いに向き合い形成する内側には突出せぬよう配設した請求項３記載の自縛機能を有する刺股。
【請求項５】
ラチェットの歯板（５）の長さにおいて、該ラチェットの歯板（５）の一端はラチェットの爪（１０）に噛合う位置辺りまでとし、他端を該ラチェットの歯板（５）を固着させる可動湾曲状棒体（９）の角状曲折部（４）に固着させ、更に両可動湾曲状棒体（９）が互いに向き合い形成する内側にも突出して、全歯列の長さを回転軸（３）を中心とした半円を形成する程の長さとした請求項３記載の自縛機能を有する刺股。
【請求項６】
中央部連結部材（７）を、ボールプランジャー方式とした請求項１乃至請求項５のいずれかに記載の自縛機能を有する刺股。
【請求項７】
中央部連結部材（７）を、断面が逆Ｕ字状とした半硬質の合成樹脂製とし、下辺が直状開口辺部（１１）とし、かつ、いずれか一方の内側端部（６）にて、回動自在に軸着する回転軸用孔（１２）を有したものとし、上記直状開口辺部（１１）にて、相手側の内側端部（６）に上方から押込み挟設させ用いるものとした請求項１乃至請求項５のいずれかに記載の自縛機能を有する刺股。
【請求項８】
ゴム紐などで成る緩衝伸縮材（１７）を、半円状湾曲棒体（２）の把持用直棒体（１）の延長軸線上で直交し、両回転軸（３）を結ぶ直線とは平行で、かつ、該両回転軸（３）を結ぶ直線と、把持用直棒体（１）と上記半円状湾曲棒体（２）が固着している中間点との間を略３分し、該中間点から３分の１辺りに設けた請求項１乃至請求項７のいずれかに記載の自縛機能を有する刺股。
【請求項９】
軟質合成樹脂製かゴム製の下端がやや広がった釣鐘形をした下端用キャップ（２４）を把持用直棒体（１）の一端に嵌着させた請求項１乃至請求項８のいずれかに記載の自縛機能を有する刺股。
【請求項１０】
把持用直棒体（１）と可動湾曲状棒体（９）を含めた全長を、半分程度とすべく、把持用直棒体（１）を分離２分して、分離把持用直棒体（１９）とした一方の分離把持用直棒体（１９）に、内接するための露出部分（２０）を有する棒体を、ビス（２１）等で他方の分離把持用直棒体（１９）内に固定する請求項１乃至請求項９のいずれかに記載の自縛機能を有する刺股。
【請求項１１】
把持用直棒体（１）と可動湾曲状棒体（９）を含めた全長を、半分程度とすべく、把持用直棒体（１）を分離２分して、分離把持用直棒体（１９）とし、かつ、２分した両分離把持用直棒体（１９）の一端部にて、蝶番（２５）等を用い二つ折り式に結合させた請求項１乃至請求項９のいずれかに記載の自縛機能を有する刺股。
【発明の詳細な説明】
【技術分野】
【０００１】  この発明は、暴漢などが侵入して来た際に、その捕獲に用いる刺股の改良に関する。更には、捕獲時に暴漢が暴れ動くことによって、自縛的に締め付けられて、自動的に動きを封ずる機能を有した刺股を提供するものである。
【背景技術】
【０００２】  従来の「刺股」又は「刺又」と称する侵入者に対する捕獲用具は、Ｖ字或いはＵ字状の湾曲棒体の開口部を前方とし、そのＶ字或いはＵ字状体の底の外側の中央部に、使用者が把持する長柄状直棒体の先端を固着させた至極簡単な構成のものであった。【０００３】  そして、その使用時には、Ｖ字或いはＵ字状体の開口部内に暴漢を捕らえ、かつ、壁又は床等に押し付けて暴漢の動きを止めおき、他人の助けを得て暴漢を取り押さえていた。
しかしながら、これら単純な構成のものでは、暴漢が逃げようと暴れると、得てして取り逃がしたり、反撃を食らう虞が多く、問題が多発していたのが実状であった。【０００４】
【先行技術文献】
【特許文献】
【０００５】  そこで、Ｖ字かＵ字状の開口部だけの構成ではなく、それぞれＵ字状棒体の両先端部分に、互いに内側方向へ回動可能に、新たに加える湾曲状の左右回動アームよりなる拘束部材を設けたものとし、これを別の付属機構によって、捕獲使用時に当該拘束部材である上記の左右回動アームが、内側方向へ回動して、暴漢等の捕獲対象を、包囲して捕獲するとした幾つかの先願がある。
【特許文献１】特開２００７−２７８６８５号公報（５〜７頁、図１、図１４）
【特許文献２】特開２００７−４６８５３号公報（４頁、図１、図２）
【発明の概要】
【発明が解決しようとする課題】
【０００６】  上記の特許文献１は、発明の名称を「開閉式刺股」と称し、その主要な構成は、手で握る筒状の長柄と、長柄の先端に取り付けられたＵ字形状の押当部材があり、その押当部材の両先端には、互いに内側に回動可能に取り付けられた湾曲状の左右回動アームよりなる拘束部材を設け、加えて左右回動アームの何れか一方の先端部に、回転可能に取りけられた短辺状の施錠体を有したものとし、使用時に左右回動アームを閉じて、捕獲対象を閉じ込めると同時に、上記施錠体が回転して左右回動アームを連結する構成としている。【０００７】  特許文献２は、発明の名称を「開閉機能を有する刺股」と称し、その発明の主要な構成は、特許文献１と同様に、互いに内側に回動可能に取り付けられた２本のアームを有し、その２本のアームの略中央部間を、両アームにそれぞれ端部を連結した紐状の引張部材を渡し設けた構成としたことを特徴としており、使用時には、２本のアームを開いた状態にしておいて、捕獲対象に対して上記引張部材を押しつけることにより、引張部材が撓むから、そのことに伴い２本の両アームが内側に引き寄せられて、自動的に両アームの先端部が閉じ行き、捕獲対象を閉じ込める構成とした刺股である。【０００８】  上記両先願は、単なるＵ字状の押当部材だけの構成の刺股ではないから、確かに刺股を壁や床へ押し付けることなく、捕獲対象を包囲捕獲し得ると言える。ところが、実際には大きな問題が残されているのである。それは、捕獲対象が暴漢である場合や、獰猛な動物の場合は、必ず暴れる行為があり、簡単におとなしくはならないのが実態である。
すなわち、捕獲対象は必ず暴れて逃げようとするから、刺股の上記拘束部材である左右回動アーム部分が壊されて、捕獲対象は刺股から逃れ易いのである。
【課題を解決するための手段】
【０００９】  そこで、この発明では、捕獲対象が暴れれば暴れるほど、前記先願例の拘束部材である左右回動アーム部分が、急激に引き締まって行き、捕獲対象が動けなくなるよう構成を工夫したものである。すなわち、捕獲時に、暴漢等の捕獲対象が暴れ動くことによって、自縛的に捕獲対象が締め付けられて行き、遂には自ら動きを止める機能を有した新規な刺股を提供するものである。【００１０】  この発明の構成を、後出の各図面に基づき説明するが、これらの図面においては、形を異にしていても機能上同一のものは、特段の相違がない限り、同一の符号として示した。
また、引き出し線は、同一符号を付すべき全箇所に設けているとは限らなく、幾つかを代表的に選択した。【００１１】  図１及び図２にて、把持して軽量であるように、例えばアルミ製パイプにて成る把持用直棒体１の一端を、細めのアルミ棒材などで成る半円状湾曲棒体２が、それ自体が形成する平面と同一平面上における当該半円状湾曲棒体２の長さの中間点にて、その半円状湾曲棒体２の開口部を先方として、溶接などで強固着して一体化したものとする。
なお、上記半円状湾曲棒体２の両先端には、次述するこの発明の主要構成部品を、一方向のみに回動させるための特別な構成部品として設けたものである。【００１２】  すなわち、半円状湾曲棒体２の両端部には、図２にも示すような、同じく細めのアルミ棒材等にて成る湾曲した略Ｌ字状で、その角状曲折部４か若しくはその近傍に、回転軸３を配し、かつ、Ｌ字状の下辺端部である内側端部６には、中央部連結部材７としてボールプランジャーの一方側を内蔵させ、Ｌ字状の他端にはアルミ棒の断面が当接した時の危険防止のために、軟質合成樹脂製かゴム製などにて成る保護用のキャップ８を被着させた。【００１３】  ここで、この発明の構成について、最重要構成部分であるラチェット機構の採用について詳述する。この発明にて採用するラチェット機構には、大別して後述する市販の回転軸兼用のものと、通常の回転軸とは別に、歯列と爪とを設けたものとの２種類がある。【００１４】  先ず、後者の市販の回転軸兼用のものとは別態様のものにつき説明する。すなわち、該内側端部６と回転軸３との間、若しくは角状曲折部４辺りに、半円状湾曲棒体２がＬ字状として湾曲する方向とは順方向だが、更にＬ字状湾曲の外側方向へと、ラチェットの歯板５が、その歯列を上記回転軸３に向け、かつ、該回転軸３を中心とした半円線を描く軌道上に歯列を有するものとし、上記全体を形成して可動湾曲状棒体９とした。【００１５】  なお、前述の歯列の長さであるとも言えるラチェットの歯板５の長さは、特に限定しないが、後述する使用時にて、両可動湾曲状棒体９が形成する図１０並びに図１１に見るように、可動湾曲状棒体９の両先端が互いにクロスするに必要とする長さで決めればよい。【００１６】  その点、図１及び図２の実施例に対して、ラチェットの歯板５の長さを、より長く、すなわち倍近くの長さとして、全歯列の長さを回転軸３を中心とした半円を形成する程の長さとした図３及び図４の実施例も示しておく。
この後者の実施例は、ラチェットの歯板５の一端側である内側端部６とは反対側は、図１及び図２のものと同じ長さだが、他端側は、２本の可動湾曲状棒体９が形成する湾曲円の内側へも突出することになる。【００１７】  また、ラチェット機構として、ラチェットの歯板５の相手先であるラチェットの爪１０は、半円状湾曲棒体２の両回転軸３点から、その半径上の半円状湾曲棒体２において、両ラチェットの歯板５に噛合う位置に設けることは当然であるし、図示では単純化して三角記号で示した。それも、実際は、図１も図３も半円状湾曲棒体２の裏側に配設される。
それ故、ラチェットの歯板５も、半円状湾曲棒体２の裏側にビス止めなどで固定する。【００１８】  ラチェットの歯板５は、当然硬質で耐久性が必要であることから、焼き入り鋼板製となるので、アルミ製の可動湾曲状棒体９に溶接する訳にはいかない。異質の丸棒と平板の固着だが留意して結合したい。また、図示省略したがラチェットの解除機構も必要である。【００１９】  なお、図１も図３でも、見て分かり易いように、半円状湾曲棒体２や可動湾曲状棒体９と共に、互いにラチェットの歯板５も透明体であるとして描いた。
加えて、図示上、簡略とするために、ラチェットの歯板５の歯列を、図１と図３では破線とし、図２と図４では模式的に描いたものであって、実際には、遥かに歯数が細かく多数であるし、ラチェットの爪１０も前述のように象徴的に描いたものである。【００２０】  次に、ラチェット機構として、市販のラチェット式回転軸とでも称するラチェット機能を併用させた回転軸について説明する。これは、回転軸の周囲に、全周に渡って歯列を連続させて設けてあり、その歯列に噛合う爪を１つ以上幾つか有し、全体としては大き目の回転軸として構成されたものである。【００２１】  このラチェット機構を採用したものとしては、前出の回転軸３に相当するものを、ラチェット回転軸１６と称して図５及び図１４に、更に図１２と図１３にも◎として示した。
このラチェット回転軸１６を用いれば、当然、前出のラチェットの歯板５とラチェットの爪１０は不要であり、しかも、回転軸中心からラチェット歯列と爪を有する場所が、極く近いことから、梃子の原理で容易に動かすことが出来る利点がある。【００２２】  ところが、このラチェット回転軸１６を用いたものには欠点もある。最大の欠点は、このラチェット回転軸１６の度重なる強圧的な使用により、内在ラチェット歯列の疲労破壊が起き易いことである。すなわち、この方式の利点でもあった回転軸中心と、歯列や爪を有する場所とが極く近いことが逆に災いし、強烈な負荷を度々与えることになるから、結果として破損し易いことになるのである。【００２３】  その点、前出の通常の回転軸３を採用し、ラチェットの歯板５とラチェットの爪１０とを用いたものは、ラチェットの歯板５とラチェットの爪１０とを、回転軸３の中心から離れた場所に設けたので、回動力はより要しても、遥かに丈夫で長持ちするのである。【００２４】  次に、説明を他の構成部分に移すことにする。先ず、可動湾曲状棒体９は、２本必要とし、互いに内側方向に回転して円を形成するようその湾曲自体が、互いに内側に向くよう前記両回転軸３（ラチェット回転軸１６も含み以下同じ）に係着させるのである。
その際、中央部連結部材７として図２に見るようなボールプランジャーを採用した場合は、相手先の内側端部６には、このボールプランジャーの先端を受け、一時固定するための図示省略したボール受け穴を設けてあるものとする。【００２５】  なお、両可動湾曲状棒体９の、半円状湾曲棒体２の両回転軸３への連着手段には十分な注意が必要である。すなわち、互いに内側に円を描くよう相対して連着させる２本の可動湾曲状棒体９であるから、図１０と図１１並びに図１２と図１３に見るように、使用時には可動湾曲状棒体９の両先端がクロスすることになるから、互いに先端が衝突しないように配慮すること必要である。勿論、前述のラチェットの歯板５の歯列が、ラチェットの爪１０から外れてはならないことは言うまでもない。【００２６】  また、図１と図３での両可動湾曲状棒体９の両内側端部６間に渡っては、使用前に、その両可動湾曲状棒体９のキャップ８を有する両先端が、離反開口している状態を保持させるために、前述したボールプランジャーと、相手先の内側端部６に、ボール受け穴を設けて成る中央部連結部材７を採用したものとして示した。【００２７】  更に、各図に示すように、回転軸３の配置位置は、前述した如く可動湾曲状棒体９の角状曲折部４か、若しくはその近傍でよく、その位置の決定は、可動湾曲状棒体９の大きさや、その形状と、その両内側端部６との距離関係、すなわち、使用時の梃子力に係わり、使用時に中央部連結部材７を押圧して、両内側端部６間の挟圧力に抗して中央部連結部材７を、一方の内側端部６から離反させるのに必要な力から求めればよく、設計上の問題である。しかしながら、この発明の一要部でもあるから実設計上では十分に吟味されたい。【００２８】  ここで、中央部連結部材７として、別の手段につき説明する。それは、図５乃至図７に示すもので、両可動湾曲状棒体９の両内側端部６間は、前述のボールプランジャーの場合よりも広い空間をあけるようになし、そこに、図７に示すような、断面が逆Ｕ字状とした半硬質の合成樹脂の例えばポリプロピレン製とし、下辺が直状開口辺部１１とし、かつ、いずれか一方の内側端部６にて、回動自在に軸着する回転軸用孔１２を有した中央部連結部材７としたものを、その直状開口辺部１１にて、相手側の内側端部６に上方から押込み挟設させて用いるものとしたものである。【００２９】  図５が挟設させた状態で示した使用前の全体図である。１４はこの中央部連結部材７の回転軸用孔１２を介して、いずれか一方の可動湾曲状棒体９の内側端部６に挿通して、この中央部連結部材７を回動させるためのピン状の回転軸を示す。
使用時に、この中央部連結部材７が可動湾曲状棒体９から外れた場合は、自重でぶら下がり図６の破線で示したようになる。【００３０】  ところで、図７に示す中央部連結部材７の斜視図は、少し特殊に描いてある。そのことは、中央部連結部材７であるこの部品の断面において、手前は円形状で後方は逆Ｕ字状とした。その理由は、下方の直状開口辺部１１の幅を全長に渡って均一にしたとすると、同じ太さであるとした両内側端部６に対して、逆Ｕ字よりも、円状の方が挟み抱き込む力は大きいからであり、回転軸用孔１２のある方は回動し易いように逆Ｕ字としたのである。【００３１】  勿論、このタイプの中央部連結部材７の材質自体で、挟着力は大きく変わることは言うまでもないが、一般的には半硬質な合成樹脂の例えばポリプロピレン製とする。
また、挟着力を補強するために、図示のように、少し厚みのある逆Ｕ字状の金属製の補強バンド１３を適所に設けるもよい。いずれにしても、中央部連結部材７は、前述したボールプランジャー式と共に、被捕獲対象に直接押接することによって外れさせ、両可動湾曲状棒体９の開口状態を閉じる役目をするものであるから、設計上重要な部品であることは言うまでもない。【００３２】  次に、図３と図５に図１４、それに両可動湾曲状棒体９が回動して包囲部分１８が形成された時の図１２と図１３にも示す半円状湾曲棒体２の開口部間に渡して設けた直線状の太い破線体として示す緩衝伸縮材１７について説明する。【００３３】  この緩衝伸縮材１７は、把持用直棒体１の延長軸線上にて直交し、両回転軸３を結ぶ直線とは平行で、かつ、該両回転軸３を結ぶ直線と、把持用直棒体１と半円状湾曲棒体２が固着している中間点との間を略３分し、その中間点から３分の１辺りに緩衝伸縮材１７を付設させたものである。【００３４】  そして、この緩衝伸縮材１７付設の目的は、例えば図１２に見られるように、使用時に形成される包囲部分１８に対し、捕獲対象が比較的小さい場合でも、潜り抜けて逃げ出さないように、捕獲対象を容易に緩衝伸縮材１７に接触させ得るようにするためである。【００３５】  その構成としては、例えば、スプリングコイル状の長いばねに、軟質ビニールパイプを被着させたものとしたり、太いゴム紐を編んだものに軟質ビニールパイプを被着させたようなものとするなりと、構成は色々と考えられる。
したがって、その構成材から見て、捕獲対象に対し捕獲時の両可動湾曲状棒体９からの強烈な圧接性を和らげる働きも有するようになる。【００３６】  さて、この発明として最重要な部分は前記したラチェット機構である。周知のようにラチェット機構を用いると言うことは、そのラチェット歯列に対して、噛合う爪の移動方向は、一方向のみであり、逆方向には決して移動しないことを意味する。
すなわち、重要なことは、前述のラチェットの歯板５とラチェットの爪１０及びその回転軸３の機能上の配置であり、又は、ラチェット回転軸１６の機能上の配置である。【００３７】  したがって、回転軸３とラチェットの歯板５及びラチェットの爪１０との３者関係は勿論のこと、２本の可動湾曲状棒体９が互いに内側方向に回転しても、外側方向へは回転しないように、２組のラチェットの歯板５とラチェットの爪１０の向きを、それぞれ互いに逆向きになるように定めることが必須要件である。【００３８】  なお、回転軸３として市販のラチェット回転軸１６採用した場合は、ラチェット回転軸１６を配設する２本の可動湾曲状棒体９に、互いに可動湾曲状棒体９が内側方向に回転しても、外側方向へは回転しないようにラチェット回転軸１６を配置する必要がある。
すなわち、このことは、２個のラチェット回転軸１６を、互いに表裏関係にあるとして配置するのである。勿論、ラチェット回転軸１６そのものには解除機能を有するから使用後は解除して元の位置状態へ戻せばよい。【００３９】  以上詳記したのが，この発明の基本的な構成である。次に、この発明の作用について説明する。通常、本発明品（以下は本刺股と称する。）を保管している時は、好みの状態にしておけばよいが、暴漢などが侵入して来る時は何時であるか分からないから、その非常時に直ぐ使えるように、中央部連結部材７にて、両内側端部６を結合させて、両可動湾曲状棒体９すなわち、その両キャップ８間を最大に開口させた図１のような状態にして、該両キャップ８端を床面にし、壁などに立て掛けおくことになる。【００４０】  いざ、刃物などを構えた暴漢侵入となったら、直ちに本刺股の把持用直棒体１を両手で持ち、開口した状態で暴漢に立ち向かい、暴漢を素早く開口内に押入れ、本刺股の中央部連結部材７を暴漢に押し当てれば、両可動湾曲状棒体９が、梃子の原理で回転軸３を軸に図１の矢印方向、すなわち内側方向へと回動するから、中央部連結部材７が、開放され、暴漢は半円状湾曲棒体２に押し付けられるようになると同時に、両可動湾曲状棒体９が互いに交差状態となって図１０及び図１１のように包囲部分１８が形成され、その中に暴漢を閉じ込めることになる。【００４１】  そこで、図３及び図４のようにラチェットの歯板５が長く、全歯列の長さを回転軸３を中心とした半円を形成する程の長さとしたものは、２本の可動湾曲状棒体９が形成する湾曲円の内側へも突出することになるから、一見して被捕獲対象に当りそうに思われるが、実際にはあまり心配がない。その理由は、第一に、図３に見るように、使用開始時にはラチェットの歯板５の内側の両先端は横向きとなっており、両可動湾曲状棒体９が内側へと閉じて行くに伴って、内側の両先端は後退して行き図１１に示すようになるからである。【００４２】  さて、これからが本刺股の本領を発揮するのである。すなわち、暴漢であろうと猛獣であろうと，被捕獲対象が閉じ込められると、必ず逃げようとして激しく動き暴れる。
そして、暴れると、その動きに伴い両可動湾曲状棒体９が動かされ、そこに固着している両ラチェットの歯板５なり、又は回転軸３にラチェット回転軸１６を採用したものは、その両ラチェット回転軸１６も動かされることになる。【００４３】  ラチェット機構が動くということは、前述したように一方向へのみ進むことを意味し、決して逆方向へは進まないから、両可動湾曲状棒体９が互いに内側方向に動いても、決して開く方向には動かないのである。すなわち、被捕獲対象の動きによって、両可動湾曲状棒体９が互いに内側方向に微動して行くことになり、遂には被捕獲対象自身が痛みを感ずるのか動かなくなる。即ち、自縛的に被捕獲対象を締め付けて行くようになるのである。【００４４】  次に、この発明の主要構成部品の改善策につき説明する。先ず、把持用直棒体１の長さを調整できるようにする２つの手段についてである。１つは、図８に示すように、パイプ状の把持用直棒体１の構成を、長さ方向で２分し、丸棒の一端を、２分した一方のパイプに内接固定させ、そのパイプから露出している丸棒の他端部分を、２分した他方のパイプ内に挿入して結合させ、その結合上をスライドカバーするパイプを設けて、全長を調整できるようにする。２つめは、図９に示すように、蝶番２５を用いて二つ折りにする方法である。いずれも、後程にて詳述しよう。【００４５】  その際、基本的に言えることは、家庭用掃除機の吸い込みパイプの長さ調整法に見られるような、外側パイプの一端部辺りで、内側パイプを締め付けて長さ固定する方法では、本刺股には全く不適である。すなわち、暴漢に立ち向かうのには力を必要とするから、この手段では締め付け点が滑って長さが固定化しないから、無理であり危険である。【００４６】  そこで、少なくとも内側を丸棒とし、その丸棒の中心を通る周上の上下に、例えば下方にはキー溝のような長溝を穿設し、その長溝内を移動する凸部を外側のパイプの適所に固着させて、該丸棒の長溝とは長さ方向に伸縮しても、外側パイプが互いに回動しないようにし、かつ、丸棒の中心を通る周上の上方には、球頭体がスプリングバネを下にして埋まる程度の円穴を適所に穿ったものにしておくような多用されている手段が必要であろう。【００４７】  そして、外側パイプの長さを手元から半円状湾曲棒体２の中間点近くまでとし、球頭体が露出する程度の透孔を、少なくとも把持した時の手元と、中間点近くとの２ヶ所に設けたものとする。勿論、球頭体は外側パイプから露出しても、飛び出してしまわないように球頭体の下部は、外側パイプの透孔よりも大きくしておくのである。【００４８】  この構成だと、把持用直棒体１として短い時は、球頭体が手元に露出していて、長くする時は、手元に露出している球頭体を指先で押し込んで、内側の丸棒を引き出し行けば、球頭体は外側パイプの上方内面を滑走して、中間点近くの透孔から露出して固定し、把持用直棒体１としての全長がほぼ２倍近いものとなると言える。【００４９】  しかし、この手段も家庭用の掃除機ほどではないが、把持用直棒体１として長くしておいて、壁などに急激に強く押し付けると、球頭体が小さいからか、陥没して把持用直棒体１としての長さを保てなくなる虞があるし、稀には球頭体が���壊して、把持用直棒体１としての長さが定まらなくなってしまうことが考えられる。
また、これらは把持用直棒体１のみの長さ変化であり、十分ではない。【００５０】  そこで、把持用直棒体１と両可動湾曲状棒体９の先端までを含んだ本刺股の全長を、半分の長さにしたい。その方が高さが同じとなり、不使用時の保管に便利である。
それには、前述の把持用直棒体１内のスライド式伸縮法では、長さ方向に数段階の伸縮が必要となるから、数層の構成となって把持用直棒体１の太さから考えると無理がある。【００５１】  そこで、把持用直棒体１を必要な長さのところで２分して分離させるものとし、図１４に示すように、分離するそれぞれを可動湾曲状棒体９を含んだ全高の半分の長さにする。
その際、好ましい把持用直棒体１の２分方法としては、図９に見るように分離把持用直棒体１９が離散せぬよう蝶番２５を用いて二つ折りにしたものである。
これらの手法は、実施例の項で詳述する。【００５２】  また、慣用手段に近いが、把持用直棒体１を両手で把持する位置に、近傍に渡って滑止め加工部分１５を設けるとか、把持用直棒体１の下端に図１４に示すような軟質合成樹脂製かゴム製の釣鐘形をし、下端が広がった下端用キャップ２４を嵌着させておくもよい。
更に、同じく図１４に見るように、把持用直棒体１上の一部に、照明用電球や高音発生器と、それらのスイッチと電池を内蔵させた付加装置箱２３を付加するのも良いだろう。
【発明の効果】
【００５３】  この発明の最大の効果は、採用したラチェット機構によって、被捕獲対象を図１０乃至図１３に示すような包囲部分１８に閉じ込めさえすれば、被捕獲対象が激しく動き暴れれば、暴れるほど、その動きに伴って両可動湾曲状棒体９が互いに内側方向に微動しつつ、自動的に被捕獲対象を締め付けて行くようになることにある。したがって、被捕獲対象は動かなくなるから、使用する当初から安心して捕獲できるようになるのである。【００５４】  また、図１１や図１３に見るように、両可動湾曲状棒体９の回動を進めて行き、包囲部分１８が２分割されて狭い範囲にすることも出来るから、小動物の捕獲なり、場合によっては暴漢に片足だけでも捕らえる可能性がある。【００５５】  中央部連結部材７としては、図１や図３に見るような、ボールプランジャー式を採用した方が，構造が簡単で好ましいが、両可動湾曲状棒体９の内側端部６における結合点が、球状だけに弱いので設計上では注意を要する。【００５６】  その点、前述した図７に見るような、断面が逆Ｕ字状とした半硬質の合成樹脂製で、下辺が直状開口辺部１１とし、かつ、いずれか一方の内側端部６にて、回動自在に軸着する回転軸用孔１２を有したものの方が、両可動湾曲状棒体９の内側端部６間の結合力は大きいと思われるし、これも、一方の可動湾曲状棒体９の内側端部６から外れても、他方の可動湾曲状棒体９の内側端部６の回転軸１４にて、飛散せずにぶら下がり状態にあるから、容易に使用状態に再セットし易い。【００５７】  前述した図５とその他の図にも示した緩衝伸縮材１７は、その配置場所からして、包囲部分１８自体を狭くするから、捕獲対象が接触し易い故に、捕獲対象が潜り抜けて逃げ行くことを防げると共に、捕獲対象が押圧されても緩衝伸縮材１７がクッションとなっての緩衝作用があるから、小動物の捕獲などには優しい捕獲法として好ましい刺股となる。【００５８】  図８に示す把持用直棒体１を分離式にしたものや、図９に示す把持用直棒体１を二つ折りとし、それぞれを分離把持用直棒体１９としたものは、図１４に見るように全体として全長を半分に短尺化できるから、不使用時の収納や移動に便利となる。【００５９】  特に、二つ折りとしたものは、両分離把持用直棒体１９が離散しないから、より好ましいと言える。なお、使用状態に戻して１本化にした時は、把持用直棒体１の断面積全体として接して押すことができるから、把持用直棒体１がパイプ体であったとしても、前述したスライド式で、内側の丸棒の球頭体が、外側パイプの透孔から露出させる構成のものよりも、遥かに把持用直棒体１の軸線方向への耐押圧力は強いものとなる。【００６０】  また、分離把持用直棒体１９に下端用キャップ２４を嵌着させたものは、使用時に両手で把持用直棒体１を持つと同時に、使用者の腹部にこの下端用キャップ２４を当接させて押し出す行為ができ易いし、加えて、広げた下端部を凹状にしておけば、吸盤の作用も生じて、床等に押し立てた時に、簡単には床面を滑動しなくなり、結果として倒れにくい効果を生むようにもなる。【００６１】  その他、把持用直棒体１上の一部に、照明用電球や高音発生器等と、それらのスイッチと電池を内蔵させた付加装置箱２３を設ければ、それなりの効果を付加し得るだろう。
【図面の簡単な説明】
【００６２】
【図１】この発明の実施例の平面図である。（実施例１）
【図２】図１の可動湾曲状棒体の平面図である。
【図３】この発明の他の実施例の平面図である。（実施例２）
【図４】図２の可動湾曲状棒体の平面図である。
【図５】この発明の更に他の実施例の平面図である。（実施例３、実施例５）
【図６】図５の可動湾曲状棒体の平面図である。
【図７】図５の中央部連結部材の斜視図である。（実施例４）
【図８】この発明の把持用直棒体にて、その長さを２分する実施例における軸線方向での一部にハッチングを省略した断面図である。（実施例６）
【図９】この発明の把持用直棒体にて、その長さを２分する他の実施例における軸線方向での一部にハッチングを省略した断面図と、右側面図である。（実施例７）
【図１０】図１の使用後の状態として包囲部分が形成され、かつ、両可動湾曲状棒体と半円状湾曲棒体及びラチェットの歯板とを透明体として示した平面図である。
【図１１】図３の使用後状態で、包囲部分が小さく分割状態とされ、かつ、両可動湾曲状棒体と半円状湾曲棒体及びラチェットの歯板とを透明体として示した平面図である。
【図１２】図５の使用後の状態として包囲部分が形成され、かつ、両可動湾曲状棒体と半円状湾曲棒体とを透明体として示した平面図である。
【図１３】図５の使用後状態で、包囲部分が小さく分割状態とされ、かつ、両可動湾曲状棒体と半円状湾曲棒体とを透明体として示した平面図である。
【図１４】図５に付加装置箱を付設して、かつ、把持用直棒体を分離可能とし、その２分した状態で示した正面図である。（実施例６）
【発明を実施するための形態】
【００６３】  この発明の最良の形態について述べると、先ず、把持用直棒体１は、軽量とするためにアルミ製のパイプとし、不使用時には全長の半分程度に２つ折に短尺化することができ、使用状態として１本に伸ばした時は、全長を１７０ｃｍ程度と成るものとする。
また、この把持用直棒体１を両手で把持する位置に、クロスハッチング状の細かい切り込みなり、ゴム製パイプを装着するような滑止め加工１５を施し、更には、図１４に見るような軟質合成樹脂製かゴム製の釣鐘形をし、かつ、下端が広がった下端用キャップ２４を嵌着させるがよい。
【００６４】  そして、半円状湾曲棒体２は、細めのアルミ棒体とし、両先端間距離が丁度半円の中心線の長さとなるものとし、その形成する平面と同一平面上における当該半円状湾曲棒体２の丁度中間点にて、その半円状湾曲棒体２の開口部を先方として強固に溶接し、把持用直棒体１と一体化したものとする。
【００６５】  なお、半円状湾曲棒体２の両先端には、Ｌ字状の可動湾曲状棒体９を連着させるための回転軸３を取り付けるが、両Ｌ字状の可動湾曲状棒体９が内側に回動してクロスする際には、たとえ衝突しても回動が進行するよう半円状湾曲棒体２の両先端での回転軸３部においては、多少のガタつきを有しての連着性が必要かつ肝要である。
また、両可動湾曲状棒体９の先端部には、パイプ体が当接した時の危険防止のため、軟質合成樹脂製かゴム製の保護用のキャップ８を被着させておく。
【００６６】  すなわち、両可動湾曲状棒体９が回動してクロスする際に、絶対に両者が衝突せぬ軌道を描くよう両回転軸３部において、互いに精密に微少な傾斜差を以て取り付け得る加工ができたとしても、暴漢などを包囲した際には、暴漢などが必ず暴れ、この精密さは必ず壊されるから、精密加工した意味がなくなるからである。
【００６７】  また、両可動湾曲状棒体９の角状曲折部４におけるＬ字状の角度は、広角になる程、暴漢を捕らえるための両可動湾曲状棒体９の両キャップ８間が広がることにはなるが、事実上は直角程度でよいし、回転軸３の配置場所も、中央部連結部材７を外し易くするためには、梃子力を考え両角状曲折部４よりも外側寄りに設ける方が好ましい。
【００６８】  さて、この発明の最大の特徴点であるラチェット機構の採用には、それぞれに特徴があるが、前述したようにラチェット機構としてラチェット回転軸１６を採用することは耐久性不足の点で避けて、ラチェットの歯板５を設けた、それも、敢えて特徴の大きな図３に示したものを選ぶことにする。すなわち、ラチェットの歯板５が長いから、包囲部分１８を狭くすることが出来るからである。
【００６９】  なお、包囲部分１８の大きさによっては、ラチェットの歯板５の内側の端部が包囲部分１８内に露出している時があるから、その内側端部には適当な緩衝材（図示省略）を設けて、被捕獲対象の当接に対して配慮するもよい。
逆に、その内側端部を利用して、被捕獲対象に痛手を与えるように、適当な形状にするのも良いだろう。
【００７０】  中央部連結部材７は、図１や図２に示したようなボールプランジャー方式の方が、構成が簡単で好ましいと思われる。ただし、あまり簡単に外れるようでは困るから、ボールプランジャーの設計上では十分に注意されたい。
【００７１】  そして、半円状湾曲棒体２の開口部間に渡り緩衝伸縮材１７を設けたものとし、かつ、把持用直棒体１は、両可動湾曲状棒体９を含めた全長の半分長になるように、２つに分離可能な構成とすることである。それも図９に示すような蝶番２５を用いた二つ折りの方が互いに離散せずに、常に共にあるからベターな刺股となる。
【実施例１】
【００７２】  次に、図１に示した実施例について述べる。先ず、把持用直棒体１は、直径を３ｃｍ程とするアルミ製パイプが、不使用時には２つに分離することができ、使用状態として１本に伸ばした時には、全長を１７０ｃｍ程度と成るものとする。また、この把持用直棒体１を両手で把持する位置に、ハッチング状の細かい切り込みである滑止め加工１５を施す。【００７３】  そして、把持用直棒体１の先端は、直径を１５ｍｍ程度とした細めのアルミ棒体で、両先端間距離を４５ｃｍ程度とした半円状湾曲棒体２を、その形成する平面と同一平面上における当該半円状湾曲棒体２の丁度中間点にて、その半円状湾曲棒体２の開口部を先方として強固に溶接し、把持用直棒体１と一体化したものとする。【００７４】  両Ｌ字状の可動湾曲状棒体９は、半円状湾曲棒体２と同じく直径を１５ｍｍ程度としたアルミ棒体にて成り、内側端部６から角状曲折部４までを９ｃｍ程とし、曲折し、かつ、大きく湾曲しての先端であるキャップ８までの長さを約３６ｃｍとした。【００７５】  ラチェット機構としては、ラチェットの歯板５とラチェットの爪１０を採用し、両者共に鋼板製とし、ラチェットの歯板５は、厚さを２〜３ｍｍ程度で、幅を２〜３ｃｍとし、可動湾曲状棒体９の回転軸３から、半径を１５ｃｍで描く辺りに歯列が回転軸３に向くよう湾曲配列させた湾曲状の全長を、図１に示すように、両可動湾曲状棒体９が中央部連結部材７によって使用準備状態として開いてる状態において、ラチェットの歯板５の一方端は図２に見るようにビス等で可動湾曲状棒体９に強く固設し、他端は半円状湾曲棒体２に設けるラチェットの爪１０に係合する辺りまでの長さとした。【００７６】  当然ながら、ラチェットの爪１０は、ラチェットの歯板５の歯列の回動に対し、可動湾曲状棒体９が閉じる方向には摺動移動するが、外側へ開く方向には係止して動かぬようにして半円状湾曲棒体２に固設する。なお、相対するラチェットの歯板５とラチェットの爪１０は、歯列方向を逆方向として前記同様に相対する可動湾曲状棒体９に固設する。
【実施例２】
【００７７】  実施例２は、図３及び図４に示すもので、ラチェットの歯板５の長さのみが実施例１と異なっているものである。すなわち、ラチェットの歯板５の長さを、実施例１より倍近くの長さとし、全歯列の長さを回転軸３を中心とした半円を形成する程の長さとしたものであり、ラチェットの歯板５の一端側は、実施例１と同じ長さだが、他端側は、両可動湾曲状棒体９のキャップ８側へも突出することになる。その他は、実施例１と同じであるから詳細な記載を省略する。
【実施例３】
【００７８】  実施例３は、図５に示すように、ラチェット機構として、前述した耐久性に不満があるとしても、捕獲対象が小動物のようなものには適用できることからラチェット回転軸１６を採用したものであって、２個共にセット及びそのセット解除機能付きの市販品を採用するが、ラチェット機能として、２個は互いに逆回転方向に働くよう配置する。
その他のことは、ラチェットの歯板５とラチェットの爪１０がない実施例１と同じであっても構わないから詳細な記載を省略する。
【実施例４】
【００７９】  実施例４は、図７に見るように、中央部連結部材７として、断面が逆Ｕ字状のポリプロピレン製の長方体を採用し、全長が１３５ｍｍ、高さが２５ｍｍで、内径は１８ｍｍ、外径を２２ｍｍとし、下方は全長に渡って幅１１ｍｍの直状開口辺部１１を形成させ、長さ方向の両端近くに、金属製の厚さ１ｍｍで高さ１６ｍｍ程度の逆Ｕ字状の補強バンド１２を付設したものとした。直状開口辺部１１を手指にて広げるのに、相当な力を必要とする程度の挟着力が必要である。
【実施例５】
【００８０】  実施例５は、図５に見るような緩衝伸縮材１７を付設したものであり、緩衝伸縮材１７自体は、全長が伸縮すれば、如何様な構成のものでもよい。例えば、スプリングバネを用いて、その略中央部辺りに適当長の軟質ビニールパイプを被着させたものとするか、ゴム紐を綿糸と共に撚って、太めの紐状としたものなどが実施例として考えられる。
【実施例６】
【００８１】  実施例６は、図８及び図１４に見るように、把持用直棒体１を、分離把持用直棒体１９として両半円状湾曲棒体２を含めた全長の半分程度、図例では１１０ｃｍになるよう２分する手段であり、図８に示すように、２分させた把持用直棒体１それぞれを、分離把持用直棒体１９と成し、その分離把持用直棒体１９の一方に、内接するための露出部分２０を有する棒体を、ビス２１等で他方の分離把持用直棒体１９内に固定する慣用手段が、構成が最も簡単でよいと思われる。【００８２】  両者を連着させる時は、内接する棒体の露出部分２０を相手先の分離把持用直棒体１９内へ矢印方向に挿入させ、更に、両者を連着させた上周面を、分離把持用直棒体１９の外周を両矢印方向に摺動する内径としたカバーパイプ２２を設けて、それをスライド移動させて来て、図示省略したが、分離把持用直棒体１９の外周から露出し、カバーパイプ２２に設けた透孔に球頭を露出するようなボールプランジャー式の慣用手段にて、その場所に一時固定しておくがよい。更に、該カバーパイプ２２を所定位置で衝止させ、留めおくために、上記のビス２１を兼用させるのも良いだろう。
【実施例７】
【００８３】  実施例７は、実施例６と同じく分離把持用直棒体１９として両半円状湾曲棒体２を含めた全長の半分程度になるよう２分する手段であるが、この実施例７は図９に見るように、分離把持用直棒体１９が離散せぬよう蝶番２５を用いて二つ折りにしたものである。【００８４】  構成を最も簡単にするために、用いる蝶番２５の大きさに合わせ、一端を方形部分２６とし、他端はパイプである分離把持用直棒体１９内に挿着させるため適用長の棒状嵌着部分２７とさせた木材にて成る蝶番連結部材２８と成し、図示省略した木螺旋で蝶番２５を方形部分２６に固定させたものとした。【００８５】  なお、図示省略したが、分離把持用直棒体１９と棒状嵌着部分２７とをビス等で固着する手段や、二つ折りを戻して直状とした時に、方形部分２６の側面にフックとその受け輪を設けて、直状とした接合状態を固定化するなどの適当な慣用手段を採用すればよい。
【実施例８】
【００８６】  最後に、把持用直棒体１に設ける下端用キャップ２４は、合成ゴム製の釣鐘形で、広がった下端は、凹んだものとする。また、高音発生装置なり、照明装置と共に、それらの電池を内蔵した付加装置箱２３を半円状湾曲棒体２に近い辺り付設した。照明用電球は付加装置箱２３の前面、すなわち両半円状湾曲棒体２方向に照射するよう設けた。【００８７】  以上詳記の各実施例は、図示に限定されるものではなく、また、それぞれを互いに組み替えたり、組合せても用いることができる上、構造が比較的簡単なので、安価に提供できるから、防犯上と共に、産業上にも有益な発明である。
【符号の説明】
【００８８】    １  把持用直棒体                  １５  把持用直棒体の把持部の滑止め加工部分
２  半円状湾曲棒体                １６  ラチェット回転軸
３  回転軸                        １７  緩衝伸縮材
４  角状曲折部                    １８  包囲部分
５  ラチェットの歯板              １９  分離把持用直棒体
６  内側端部                      ２０  棒体の露出部分
７  中央部連結部材                ２１  ビス
８  キャップ                      ２２  カバーパイプ
９  可動湾曲状棒体                ２３  付加装置箱
１０  ラチェットの爪                ２４  下端用キャップ
１１  直状開口辺部                  ２５  蝶番
１２  中央部連結部材の回転軸用孔    ２６  方形部分
１３  補強バンド                    ２７  棒状嵌着部分
１４  中央部連結部材の回転軸        ２８  蝶番連結部材
【図１】
2013134050.tif 000003
【図２】
2013134050.tif 000004
【図３】
2013134050.tif 000005
【図４】
2013134050.tif 000006
【図５】
2013134050.tif 000007
【図６】
2013134050.tif 000008
【図７】
2013134050.tif 000009
【図８】
2013134050.tif 000010
【図９】
2013134050.tif 000011
【図１０】
2013134050.tif 000012
【図１１】
2013134050.tif 000013
【図１２】
2013134050.tif 000014
【図１３】
2013134050.tif 000015
【図１４】
2013134050.tif 000016